(57)【特許請求の範囲】
【請求項１】
口栓部とキャップ部とをヒンジ軸で結合した樹脂素材の構成でなる粉末容器のキャップ機構において、口栓部の上面に立ち上がり筒状を呈する中味取り出し口を突設し、キャップ部の下面に中味取り出し口の内壁に接することのない突起栓を突設し、さらに口栓部にキャップ部を閉じた際に、中味取り出し口の外壁に密着して、中味取り出し口の外壁を密嵌状に包み込むことができるかぶせ筒を、前記キャップ部の下面に突設し、前記突起栓は、キャップ部を口栓部に閉じた際に、前記突起栓の先端が中味取り出し口の下端よりも下方に位置するようになっていることを特徴とする粉末容器のキャップ機構。
【発明の詳細な説明】
【０００１】
【発明の属する技術分野】
本発明はヒンジ式ワンタッチキャップを採用する容器のキャップ機構に関し、さらに詳しくは洗顔パウダー、洗剤、おしろい等の粉末状の中味を収納する容器であって、中味の粉末が湿気で固まって容器の口元を塞いでしまうという問題を解決できるキャップ機構に関する。
【０００２】
【従来の技術】
ヒンジ式ワンタッチキャップは、図２及び図３に示すように、口栓部２２、３２とキャップ部２１、３１とをヒンジ軸２４、２５、３４、３５で結合した樹脂素材の構成でなり、その口栓部２２、３２が容器１０の口部１０ａに密嵌状に取り付けられ、口栓部２２、３２の上面適宜位置には、立ち上がり筒状を呈する中味取り出し口２３、３３が突設されている。
キャップ部２１、３１はヒンジ軸２４、２５、３４、３５を中心に転動するもので、この口栓部２２、３２に嵌合するようになっており、容器の密閉を確保して中味を保護するキャップとしての機能を果たしている。
【０００３】
上記口栓部にキャップ部を密閉するための嵌合方式としては、大きく分けて二つの方式があり、一つは、図２に示すように、キャップ部２１の下面にテーパー状の突起栓２６を突設し、この突起栓２６を口栓部２２の中味取り出し口２３の中に密閉状態となるように飛び込ませて、中味取り出し口の内壁２３ａと密嵌して気密密閉を図るものである（飛び込み方式）。なお、符号２４は、第一ヒンジ軸、２５は第二ヒンジ軸である。
【０００４】
他の一つは、図３に示すように、キャップ部３１の下面にリム状のかぶせ筒３７を突設し、このかぶせ筒３７は口栓部３２の中味取り出し口３３の外壁３３ｂを外側から密閉状態に包み込むことができるもので、このかぶせ筒３７で中味取り出し口３３の外壁３３ｂを密閉状に包み込むことにより、中味取り出し口３３の気密密閉を図るものである（抱き込み方式）。なお、符号３４は第一ヒンジ軸、３５は第二ヒンジ軸である。
【０００５】
【発明が解決しようとする課題】
ところで、上記の飛び込み方式による嵌合方式の場合は、容器１０内に収められた中味の粉末が中味取り出し口２３の内壁２３ａと突起栓２６との間に噛み込まれて、これにより嵌合強度が不必要に上がってしまい、口栓部２２からキャップ部２１が開けにくい状態となったり、あるいは中味の粉末が突起栓２６により中味取り出し口２３の外方に押し出されて周囲を汚してしまう等の問題点があった（図２参照）。
【０００６】
一方上記の抱き込み方式による嵌合方式の場合は、口栓部３２からキャップ部３１が開けにくくなったり、中味取り出し口３３の周囲を汚すというような問題は起こらない反面、中味の粉末が湿気を帯びて固まると、それが中味取り出し口３３の通過道Ａを塞いでしまうという問題点があった（図３参照）。
【０００７】
そこで、本発明は中味の粉末が湿気を帯びて固まっても、中味取り出し口の通過道Ａを塞ぐことがなく、かつ口栓部とキャップ部との間の噛み込みによる不必要な嵌合強度の上昇が起こらず、中味の粉末が中味取り出し口の周囲を汚すこともない粉末容器のキャップ機構を提供することにより、上述の全ての問題点を解消せんとするものである。
【０００８】
【課題を解決するための手段】
本発明の課題を解決するための手段として、まず請求項１記載のものは、口栓部とキャップ部とをヒンジ軸で結合した樹脂素材の構成でなる粉末容器のキャップ機構において、口栓部の上面に立ち上がり筒状を呈する中味取り出し口を突設し、キャップ部の下面に中味取り出し口の内壁に接することのない突起栓を突設し、さらに口栓部にキャップ部を閉じた際に、中味取り出し口の外壁に密着して、中味取り出し口の外壁を密嵌状に包み込むことができるかぶせ筒を、前記キャップ部の下面に突設し、前記突起栓は、キャップ部を口栓部に閉じた際に、前記突起栓の先端が中味取り出し口の下端よりも下方に位置するようになっていることを特徴とする。
【０００９】
本発明によれば、突起栓の存在により、中味取り出し口の通過道Ａの貫通状態を失敗することなく確保でき、さらにかぶせ筒の存在によりキャップとしての気密密閉を図ることができる。特に、突起栓の長さが中味取り出し口の全面に渉って届くようになるので、貫通状態の確保が一層確実に行える。
【００１０】
【発明の実施の形態】
以下、本発明の実施の形態を図面に基づいて説明するが、本発明はこれらに限定されるものではない。
【００１１】
図１は本発明のキャップ機構の縦断面図である。
口栓部１２とキャップ部１１はヒンジ軸１４、１５で一体的になるよう結合され、通常の使用時にはヒンジ軸１４位置でキャップ部１１を転動させてキャップ機構の開閉を行い、全体を大きく開かせたいときにはヒンジ軸１５が利用される。
【００１２】
口栓部１２を容器１０の口部１０ａに密閉状に嵌め込むことで、口栓部１２の容器１０への取り付けは完了する。この口栓部１２の上面には立ち上がり筒状を呈する中味取り出し口１３が突設されており、キャップ部１１が開かれているときは、この中味取り出し口１３の通過道Ａを通って粉末状の中味が取り出されることとなる。この中味取り出し口１３の開口部形状は、丸型、角型、楕円形等特に限定されることはない。
【００１３】
またキャップ部１１の下面には、前記中味取り出し口１３の内壁１３ａに接することのない突起栓１６が突設されている。
即ち、この突起栓１６は中空状の筒状でも、あるいは中実状の棒状でも構わないが、突起栓１６の外周壁１６ａは中味取り出し口１３の内壁１３ａから常に離れたところに位置するようになっている。このため、突起栓１６と口栓部１２との間で中味を巻き込んで噛み込み問題が発生するということはなく、キャップ部１１が口栓部１２から開けにくくなるような事態や、突起栓の回りに存在する中味の粉末が容器の外に無理やり押し出されるというような事態は発生しない。
【００１４】
この突起栓１６の存在により、仮に中味取り出し口１３の通過道Ａ付近に中味の粉末が固まって、通過道Ａの連通状態が阻害されるような場合には、キャップ部１１を閉めることで自動的に突起栓１６が粉末の塊を除去するので、通過道の塞がり事故は確実に防止される。
【００１５】
さらに本発明では、前記キャップ部１１の下面にかぶせ筒１７が突設されており、このかぶせ筒１７は中味取り出し口１３の外壁１３ｂを密閉状に包み込むことができる構成となっている。かぶせ筒１７と外壁１３ｂとの間には、粉末がこぼれてくることはないから、従来のキャップ機構のような噛み込み事故は発生しない。
【００１６】
かぶせ筒１７の形状はリム型等好みの形状で仕上げられるが、前記外壁１３ｂには必要に応じて掛け止め用の膨隆部１８を形成するようにしても良い。
【００１７】
【発明の効果】
以上述べたように、粉末容器のキャップ機構によれば、粉末状の中味を収納する容器において、中味の粉末が湿気を帯びて塊になったとしても、容器の口元の通過道を粉末の塊が塞いでしまうというような事故は発生せず、もちろん容器の口元付近に粉末を押し出して周囲を汚してしまうような事故も起こらず、口栓部とキャップ部間に中味粉末を巻き込んで噛み込み状態を引き起こすというような事故も発生しない等の優れた効果がある。
【図面の簡単な説明】
【図１】  本発明のキャップ機構の縦断面図である。
【図２】  従来キャップ機構の縦断面図である（飛び込み方式）。
【図３】  従来キャップ機構の縦断面図である（抱き込み方式）。
【符号の説明】
Ａ…通過道
１０…容器
１０ａ…容器の口部
１１、２１、３１…キャップ部
１２、２２、３２…口栓部
１３、２３、３３…中味取り出し口
１３ａ、２３ａ…中味取り出し口の内壁
１３ｂ、３３ｂ…中味取り出し口の外壁
１４、１５、２４、２５、３４、３５…ヒンジ軸
１６、２６…突起栓
１７…かぶせ筒
１８…膨隆部
【図１】
0003949852.tif 000002
【図２】
0003949852.tif 000003
【図３】
0003949852.tif 000004